(57)【要約】【課題】  携帯電話機から発信される電磁波により、患者の使用するペースメーカに対する誤動作の発生を防止することができる電磁波防護用の衣服を提供する。【解決手段】  ペースメーカを使用する患者の胸部に着用される衣服であって、少なくとも、患者の心臓近傍の皮下にペースメーカが埋め込まれている胸の正面側から背中の背面側にかけて覆う部分に磁気シールド布材１１が使用されている。磁気シールド布材は、化学繊維の表面に銅メッキを施し、その表面にパーマロイを付着させたものである。衣服の形状は袖無しのベストあるいはチョッキに形成される。【選択図】      図１
2005023503.tif 000002
【特許請求の範囲】
【請求項１】
ペースメーカを使用する患者の胸部に着用される衣服であって、少なくとも、該患者の心臓近傍の皮下にペースメーカが埋め込まれている胸の正面側から背中の背面側にかけて覆う部分に磁気シールド布材が使用されていることを特徴とする電磁波防護用の衣服。
【請求項２】
前記磁気シールド布材は、化学繊維の表面に銅メッキを施し、その表面にパーマロイを付着させたものであることを特徴とする請求項１記載の電磁波防護用の衣服。
【請求項３】
前記衣服の形状は袖無しのベストあるいはチョッキに形成されていることを特徴とする請求項１記載の電磁波防護用の衣服。
【発明の詳細な説明】
【技術分野】
【０００１】
本発明は、特に、ペースメーカを使用した患者に対して電磁波による障害を防止することができる電磁波防護用の衣服に関するものである。
【背景技術】
【０００２】
現在、心臓の心室を強制的に電気刺激する装置として、いわゆるペースメーカを使用している患者は、日本全国において約１６万人いると言われている。医療機器関係の工業会では、携帯電話機から発信される電磁波によりペースメーカに誤動作が生じることが確認され、携帯電話機をペースメーカから２２ｃｍ以上離すように指導している。一方、電磁波による障害を防止するために、炭素繊維や活性炭繊維の表面に金属を溶射した導電性シートからなる電磁波シールド材に関する技術が開示されている（例えば、特許文献１を参照）。また、布材表面およびその表面の繊維間に、軟磁性磁気シールド粉末が付着充填されている磁気シールド材に関する技術が開示されている（例えば、特許文献２を参照）。
【特許文献１】特開昭６１−３５５９９号公報（第２〜３ページ、第１及び２図）
【特許文献２】特開平７−８６７８７号公報（第２〜４ページ、第１〜４図）
【発明の開示】
【発明が解決しようとする課題】
【０００３】
従来、携帯電話機から発信される電磁波によるペースメーカの誤動作に対する適切な防護手段が無かった。近年の携帯電話機の急増により、ペースメーカを使用している患者は、安心して満員電車に乗ったり人込みの中に出かけることができなくなっているのが現状である。
【０００４】
本発明は上記事情に鑑みなされたもので、携帯電話機から発信される電磁波により、患者の使用するペースメーカに対する誤動作の発生を防止することができる電磁波防護用の衣服を提供することを目的とする。
【課題を解決するための手段】
【０００５】
請求項１に記載の発明にあっては、ペースメーカを使用する患者の胸部に着用される衣服であって、少なくとも、該患者の心臓近傍の皮下にペースメーカが埋め込まれている胸の正面側から背中の背面側にかけて覆う部分に磁気シールド布材が使用されていることを特徴とするものである。心臓近傍が磁気シールド布材で覆われているため、携帯電話機から発信される電磁波により、患者の使用するペースメーカに対する誤動作の発生を防止することができる。
【０００６】
請求項２に記載の発明にあっては、前記磁気シールド布材は、化学繊維の表面に銅メッキを施し、その表面にパーマロイを付着させたものであることを特徴とするものである。化学繊維の表面に銅メッキを施しパーマロイを付着させた磁気シールド布材により電磁波を十分に減衰させることができる。
【０００７】
請求項３に記載の発明にあっては、前記衣服の形状は袖無しのベストあるいはチョッキに形成されていることを特徴とするものである。衣服の形状を袖無しのベストあるいはチョッキに形成することで、着用が容易になる。
【発明の効果】
【０００８】
以上説明したように本発明の電磁波防護用の衣服は、ペースメーカを使用する患者の胸部に着用される衣服であって、少なくとも、患者の心臓近傍の皮下にペースメーカが埋め込まれている胸の正面側から背中の背面側にかけて覆う部分に磁気シールド布材が使用されていることで、心臓近傍が磁気シールド布材で覆われているため、携帯電話機から発信される電磁波により、患者の使用するペースメーカに対する誤動作の発生を防止することができる。
【発明を実施するための最良の形態】
【０００９】
以下、本発明を図示の一実施形態により具体的に説明する。図1〜図４は本発明実施形態の電磁波防護用の衣服を説明する図であり、図１は電磁波防護用の衣服を説明する図、図２は電磁波防護用の衣服を着用して携帯電話機による電磁波の受信試験をしている状態を説明する図、図３は電磁波防護用の衣服を着用しないときの電磁波の強度を示す図、図４は電磁波防護用の衣服を着用したときの電磁波の強度を示す図である。
【００１０】
本実施形態の衣服１０は、例えば、人の上半身に着用する袖無しのベストあるいはチョッキの形状に形成されたものである。この衣服１０は、少なくとも、患者の心臓近傍の皮下にペースメーカが埋め込まれている側を覆う部分が磁気シールド布材１１を使用してあればよく、その他の部分は一般的に使用される布材を使用することができる。本実施形態では、衣服１０の左胸部側及び左背中側が磁気シールド布材１１で形成され、右胸部側及び右背中側が一般的に使用される布材１２で形成されている。首周り１３あるいは左袖口１４は、電磁波が進入しないよう、小さくぴったり着用できるように形成することが好ましい。磁気シールド布材は、種々の材料のものを使用することができるが、本実施形態では、ポリエステル布地に銅のメッキを施し、その上にパーマロイを付着させたものである。
【００１１】
次に、上記構成の衣服１０による電磁波防護性能の試験を行った。まず、図２に示すように、ペースメーカが埋め込まれる心臓の近傍にアンテナ１５を取り付け、手に持った携帯電話機１６から発信される電磁波をアンテナ１５で受信してその電磁波強度をオシロスコープにより測定した。図３及び図４はそれぞれ衣服１０を着用しない場合及び着用した場合の測定値を示しており、図において横軸は測定周波数で７００ＭＨｚ〜１２００ＭＨｚを示し、縦軸は電磁波の強度を対数表示で示している。衣服１０を着用しない状態で測定したところ、図３に示すように、９４７．５ＭＨｚでピーク値が−１．９２ｄＢ（デシベル）であった。次に、アンテナ１５の位置を変えずに衣服１０を着用して測定したところ、図４に示すように、９３１．２ＭＨｚでピーク値が−３１．００ｄＢであった。したがって、衣服１０を着用することで、携帯電話機１６から発信される電磁波の強度は、着用しない場合と比較して、約−３０ｄＢの減衰が実測され、電磁波の強度が１／３０程度に緩和されたことが確認された。なお、測定されたピーク値の９４７．５ＭＨｚ及び９３１．２ＭＨｚは、携帯電話機１６から発信される電磁波の周波数である。
【００１２】
上記構成の電磁波防護用の衣服１０によれば、患者の心臓近傍の皮下にペースメーカが埋め込まれている側を覆う部分が磁気シールド布材１１を使用した全体がベストあるいはチョッキの形状に形成されているため着用が容易であり、携帯電話機１６から発信される電磁波も磁気シールド布材１１により強度が１／３０程度に緩和されるため、ペースメーカの誤動作が生じない。また、首周り１３あるいは左袖口１４は、小さくぴったり着用できるように形成されているため、それらの部分から電磁波が進入することがなく、電磁波を防護する部分のみ磁気シールド布材１１を使用することで十分な目的を達成することができる。
【００１３】
なお、上記実施形態において、衣服１０をベストあるいはチョッキの形状に形成した例を説明したが、患者の心臓近傍の胸に着用されるものであればよく、下着やエプロン等に形成されていてもよい。また、磁気シールド布材１１は、少なくとも、患者の心臓近傍の皮下にペースメーカが埋め込まれている胸の正面側から背中の背面側にかけて覆う部分に使用されていればよく、全体が磁気シールド布材であってもよく実施形態に限定されない。さらに、磁気シールド布材１１としてポリエステル布地に銅のメッキを施し、その上にパーマロイを付着させたもを使用したが、例えば、ナイロン等の化学繊維を使用することもできる。
【産業上の利用可能性】
【００１４】
本発明は、ペースメーカを使用した患者に対して電磁波による障害を防止する電磁波防護用の衣服に利用できる。
【図面の簡単な説明】
【００１５】
【図１】本発明実施形態の電磁波防護用の衣服を説明する図である。
【図２】本発明実施形態の電磁波防護用の衣服を着用して携帯電話機による電磁波の受信試験をしている状態を説明する図である。
【図３】本発明実施形態の電磁波防護用の衣服を着用しないときの電磁波の強度を示す図である。
【図４】本発明実施形態の電磁波防護用の衣服を着用したときの電磁波の強度を示す図である。
【符号の説明】
【００１６】
１０  衣服
１１  磁気シールド布材
１２  布材
１３  首周り
１４  袖口
１５  アンテナ
１６  携帯電話機
【図１】
2005023503.tif 000003
【図２】
2005023503.tif 000004
【図３】
2005023503.tif 000005
【図４】
2005023503.tif 000006